(57)【要約】【課題】光伝送区間で発生するスプリアスを、希望信号の特性を劣化させることなく効果的に抑圧する。【解決手段】基地局装置１０側の第１の無線ユニット２０Ａにおいて、無線送信信号のスペクトルレベルを帯域通過フィルタ２４の伸長処理により持ち上げたのち光ファイバ４０へ送信する。一方、アンテナサイトの第２の無線ユニット６０Ａにおいては、上記光ファイバ４０を介して伝送された無線送信信号を帯域制限フィルタ６１に通して帯域制限処理することによりスプリアスを抑圧し、このスプリアスが抑圧された無線送信信号をアップコンバートしたのち送信電力増幅器７０で電力増幅してアンテナ８０から放射する。【選択図】      図１
2005175675.tif 000002
【特許請求の範囲】
【請求項１】
送信側の第１の無線装置に対応して設けられる第１の無線ユニットと、受信側の第２の無線装置に対応して設けられる第２の無線ユニットとの間で、光伝送路を介して無線信号を伝送する無線伝送システムであって、
前記第２の無線ユニットは、
前記光伝送路を介して伝送された無線信号を受信する光受信回路と、
前記光受信回路により受信された無線信号の帯域を予め設定された帯域制限特性に従い制限し、この帯域制限された無線信号を前記第２の無線装置へ出力する帯域制限フィルタと
を備え、
前記第１の無線ユニットは、
前記帯域制限フィルタが備える帯域制限特性に対し逆特性となる帯域通過特性を備え、前記第１の無線装置から送信された無線信号の帯域を前記帯域通過特性に従い伸長する帯域通過フィルタと、
前記帯域通過フィルタにより帯域伸長された無線信号を前記光伝送路へ送信する光送信回路と
を備えることを特徴とする無線伝送システム。
【発明の詳細な説明】
【技術分野】
【０００１】
この発明は、例えば移動通信システムの基地局装置とアンテナとの間で無線信号を光伝送路を使用して伝送する無線伝送システムに関する。
【背景技術】
【０００２】
携帯電話システムに代表される移動通信システムにおいて、基地局装置とアンテナとの間を光ファイバにより接続し、この光ファイバで無線信号を光伝送するシステムが注目されている。このシステムは、ＲＯＦ（Radio On Fiber）システムと呼ばれ、基地局装置をアンテナの近くに設置する必要がなくなるため、アンテナの周辺装置を簡単かつ小型化できるという利点がある。
【０００３】
図５は、従来のこの種のシステムの一例を示すものである。同図において、基地局装置（ＢＴＳ）１から出力された無線送信信号は送受信（ＴＲＸ）ユニット２に入力され、このＴＲＸユニット２においてダウンコンバータ（Ｄ−ＣＯＮＶ）２ａによりＡ／Ｄ変換に適したベースバンド又は中間周波数の信号に周波数変換されたのち、アナログ／ディジタル変換器（Ａ／Ｄ）２ｂでディジタル信号に変換される。そして、このディジタル送信信号は、電気／光変換器（Ｅ／Ｏ）３により光信号に変換されたのち、光ファイバ４を介してアンテナサイトへ伝送される。
【０００４】
アンテナサイトでは、上記光ファイバ４を介して伝送された光信号が光／電気変換器（Ｏ／Ｅ）５によりディジタル送信信号に変換されたのち、ＴＲＸユニット６に入力される。ＴＲＸユニット６において、上記入力されたディジタル送信信号はディジタル／アナログ変換器（Ｄ／Ａ）６ａでアナログ信号に変換されたのち、アップコンバータ（Ｕ−ＣＯＮＶ）６ｂにより周波数変換されて再び無線送信信号となり、送信電力増幅器（ＰＡ）７で所定の送信電力レベルに増幅されたのちアンテナ８から放射される。
【０００５】
一方、ＲＯＦシステムの別の構成として、移動通信システムの無線基地局と制御局との間を光ファイバにより接続して、両局間で無線信号を光ファイバにより光伝送するシステムも提案されている（例えば特許文献１を参照。）。
【０００６】
【特許文献１】特開２００１−８５９２５号公報
【発明の開示】
【発明が解決しようとする課題】
【０００７】
ところが、上記したいずれのシステムとも、光ファイバ伝送区間において例えば振動や雑音等により伝送誤りが発生した場合に、この伝送誤りが原因となってスプリアスが発生し、このスプリアスがそのまま送信電力増幅器７により電力増幅されてアンテナ８から放射される。このため、高周波ノイズが重畳された無線信号が放射され、これが干渉を引き起こして電波法違反となるおそれがある。
【０００８】
この問題を回避するために、誤り訂正機能を持たせることも考えられる。しかし、発生が予想される伝送誤りには、ランダム誤りや発生頻度の低い誤りばかりでなくバースト誤り等のように連続性のある誤りもあり、あらゆる誤りを想定しなければならない。このような状況に対応するには、誤り訂正機能として非常に複雑かつ高価なものを用意しなければならず、現実的ではない。
【０００９】
また、上記問題を回避するための他の手法として、光ファイバの出力側にスプリアス除去のためのフィルタを設けることも考えられる。しかし、スプリアスを完全に除去するには急峻な特性を有するフィルタを用意する必要があり、このようなフィルタを使用するとスプリアスに止まらず希望信号の一部を減衰させることになり、これが希望信号の特性劣化を招く。
【００１０】
この発明は上記事情に着目してなされたもので、その目的とするところは、光伝送区間で発生するスプリアスを、希望信号の特性を劣化させることなく効果的に減衰させることが可能な無線伝送システムを提供することにある。
【課題を解決するための手段】
【００１１】
上記目的を達成するためにこの発明は、送信側の第１の無線装置に対応して設けられる第１の無線ユニットと、受信側の第２の無線装置に対応して設けられる第２の無線ユニットとの間で、光伝送路を介して無線信号を伝送する無線伝送システムにあって、上記受信側の第２の無線ユニットに、予め設定された帯域制限特性を備える帯域制限フィルタを設ける。そして、上記光伝送路を介して伝送された無線信号の帯域を上記帯域制限フィルタにより制限したのち上記第２の無線装置へ出力する。一方、上記送信側の第１の無線ユニットには、上記帯域制限フィルタが備える帯域制限特性に対し逆特性となる帯域通過特性を備える帯域通過フィルタを設ける。そして、上記第１の無線装置から送信された無線信号の帯域を上記帯域通過フィルタにより伸長したのち上記光伝送路へ送信するように構成したものである。
【００１２】
したがってこの発明によれば、送信側の第１の無線ユニットにおいて、無線信号のスペクトルレベルが帯域通過フィルタにより持ち上げられたのち光伝送路へ送信され、一方受信側の無線ユニットにおいては、上記光伝送路を介して伝送された無線信号が上記帯域制限フィルタにより帯域制限される。このため、希望信号の特性劣化を抑制しつつ、光伝送路区間で発生するスプリアスを十分に抑圧することが可能となる。
【００１３】
しかもこの発明では、あらゆる誤りを想定した複雑かつ高価な誤り訂正機能を設ける必要がなく、またスプリアス除去のための急峻な特性を有する高価なフィルタを設ける必要もないので、構成が簡単でかつ安価なシステムを提供することができる。
【００１４】
また、この発明に関連する具体的な構成として次のようなものが考えられる。  
第１の構成は、無線信号を複数のキャリアを使用して伝送するマルチキャリア無線伝送システムにあって、受信側の無線ユニットに、予め設定された帯域制限特性を備える複数の帯域制限フィルタを各キャリアに対応して設ける。そして、光伝送路を介して伝送された多重化無線信号をキャリアごとに分離したのち、この分離された各キャリアの無線信号をそれぞれ上記複数の帯域制限フィルタにより帯域制限したのち復調する。一方、送信側の無線ユニットには、上記複数の帯域制限フィルタが備える帯域制限特性に対し逆特性となる帯域通過特性を備える複数の帯域通過フィルタを設ける。そして、変調された複数のキャリアの無線信号をそれぞれ上記複数の帯域通過フィルタにより帯域伸長したのち多重化し光伝送路へ送信するように構成したものである。
【００１５】
このような構成によれば、送信側の無線ユニットにおいて、各キャリアの無線信号が、当該キャリアごとに予め設定された帯域通過特性を有する帯域通過フィルタによりそれぞれ帯域伸長されたのち多重化されて光伝送路へ送信され、一方受信側の無線ユニットでは、上記光伝送路を介して伝送された多重化無線信号がキャリアごとに分離されたのち、当該キャリアごとに帯域制限特性が設定された帯域制限フィルタによりそれぞれ帯域制限される。このため、個々のキャリアについては勿論のこと、キャリア間の谷間を含むすべての伝送帯域に対してスプリアスを低減することが可能となる。したがって、個々のキャリアの無線信号の特性劣化を抑制しつつ、光伝送路区間で発生するスプリアスを確実に抑圧することが可能となる。
【００１６】
第２の構成は、無線信号を複数のキャリアを使用して伝送するマルチキャリア無線伝送システムにあって、受信側の無線ユニットに、全伝送帯域をカバーする帯域制限特性を有する１個の帯域制限フィルタを設ける。そして、光伝送路を介して伝送された多重化無線信号を上記帯域制限フィルタに通すことにより全帯域に対し一括して帯域制限し、この帯域制限された多重化無線信号をキャリアごとに分離したのち復調する。一方、送信側の無線ユニットには、上記１個の帯域制限フィルタが備える帯域制限特性に対し逆特性となる帯域通過特性を備える１個の帯域通過フィルタを設ける。そして、変調された複数のキャリアの無線信号を多重化したのち、この多重化された無線信号を上記帯域通過フィルタに通すことにより帯域伸長して光伝送路へ送信するように構成したものである。
【００１７】
このような構成によれば、送信側及び受信側における帯域伸長処理及び帯域制限処理がそれぞれ１個の帯域通過フィルタ及び帯域制限フィルタにより行われる。このため、少数の帯域通過フィルタ及び帯域制限フィルタを用いるだけで、スプリアスを抑圧することが可能となり、これにより回路規模をきわめて小型に維持しつつ、希望信号の品質劣化を許容範囲に抑えながら、マルチキャリア無線信号の放射特性を改善することができる。
【発明の効果】
【００１８】
要するにこの発明によれば、送信側の無線ユニットにおいて、受信側の無線ユニットが備える帯域制限フィルタの帯域制限特性に対し逆特性となる帯域通過特性に従い無線送信信号の帯域を伸長したのち光伝送路へ送信するようにしたことによって、光伝送区間で発生するスプリアスを、希望信号の特性を劣化させることなく効果的に減衰させることを可能にした無線伝送システムを提供することができる。
【発明を実施するための最良の形態】
【００１９】
（第１の実施形態）  
図１は、この発明に係わる無線伝送システムの第１の実施形態を示すブロック構成図である。本実施形態のシステムは、移動通信システムの基地局装置とアンテナサイトとの間を光伝送路により接続し、この光伝送路を介して無線信号を伝送するようにしたＲＯＦシステムである。
【００２０】
同図において、基地局装置（ＢＴＳ）１０側及びアンテナ８０側のサイトにはそれぞれ第１の無線ユニット２０Ａ及び第２の無線ユニット６０Ａが設けてあり、これら第１及び第２の無線ユニット２０Ａ，６０Ａ間は光伝送路により接続されている。光伝送路は、第１の無線ユニット２０Ａの出力側に設けられた電気／光変換器（Ｅ／Ｏ）３０と、第２の無線ユニット６０Ａ光ファイバ４０の入力側に設けられた光／電気変換器（Ｏ／Ｅ）５０と、これらの電気／光変換器３０と光／電気変換器５０との間を接続する光ファイバ４０とから構成される。
【００２１】
先ず第１の無線ユニット２０Ａは、ダウンコンバータ（Ｄ−ＣＯＮＶ）２１と、アナログ／ディジタル変換器（Ａ／Ｄ）２２と、低域通過フィルタ（ＬＰＦ）２３と、帯域通過フィルタ（１／Ｈ(ω)）２４とを備えている。ダウンコンバータ２１は、基地局装置１０から出力された無線送信信号をＡ／Ｄ変換に適したベースバンド又は中間周波数の信号に周波数変換する。アナログ／ディジタル変換器２２は、上記ダウンコンバータ２１により周波数変換された送信信号をディジタル信号に変換する。低域通過フィルタ２３は、上記アナログ／ディジタル変換器２２から出力されるディジタル送信信号に含まれる不要な高調波成分を除去する。
【００２２】
帯域通過フィルタ２４は、後述する第２の無線ユニット６０Ａに設けられる帯域制限フィルタ６１の帯域制限特性（伝達関数Ｈ(ω)）に対し逆特性となる帯域通過特性（伝達関数１／Ｈ(ω)）を備える。そして、上記低域通過フィルタ２３を通過したディジタル送信信号の帯域を、上記伝達関数１／Ｈ(ω)に従い伸長する処理を行い、この帯域伸長されたディジタル送信信号を電気／光変換器３０へ出力する。電気／光変換器３０は、上記帯域通過フィルタ（逆特性フィルタ）２４から出力されたディジタル送信信号を、電気信号から光信号に変換して光ファイバ４０へ送信する。
【００２３】
一方、第２の無線ユニット６０Ａは、帯域制限フィルタ６１と、ディジタル／アナログ変換器（Ｄ／Ａ）６２と、アップコンバータ（Ｕ−ＣＯＮＶ）６３とを備えている。帯域制限フィルタ６１は、上記光ファイバ４０による伝送過程で発生するスプリアスを除去するために予め設定された帯域制限特性を備える。そして、光／電気変換器５０により光信号から電気信号に変換されたディジタル送信信号の帯域を、上記帯域通過特性に従い制限する処理を行う。
【００２４】
ディジタル／アナログ変換器６２は、上記帯域制限フィルタ６１により帯域制限されたディジタル送信信号をアナログ信号に変換する。アップコンバータ６３は、上記ディジタル／アナログ変換器６２から出力されたアナログ送信信号を無線周波信号に周波数変換し、この周波数変換された無線送信信号を送信電力増幅器（ＰＡ）７０に供給する。送信電力増幅器７０は、上記無線送信信号を所定の送信電力レベルに増幅してアンテナ８０に供給し、アンテナ８０から図示しないセルに存在する移動通信端末に向け放射する。
【００２５】
次に、以上のように構成された無線伝送システムの動作を説明する。図２は、その動作説明に使用する伝送特性図である。  
基地局装置１０から出力された無線送信信号は、第１の無線ユニット２０Ａに入力され、ここで先ずダウンコンバータ２１によりＡ／Ｄ変換に適したベースバンド又は中間周波数の信号に周波数変換されたのち、アナログ／ディジタル変換器２２によりディジタル信号に変換される。そして、このディジタル送信信号は低域通過フィルタ２３により不要な高調波成分が除去されたのち帯域通過フィルタ２４に入力される。
【００２６】
この帯域通過フィルタ２４は、先に述べたようにアンテナサイトの第２の無線ユニット６０Ａに設けられている帯域制限フィルタ６１の帯域制限特性（伝達関数Ｈ(ω)）に対し逆特性となる帯域通過特性（伝達関数１／Ｈ(ω)）を備えており、上記入力されたディジタル送信信号は上記伝達関数１／Ｈ(ω)に従い帯域を伸長する処理が施される。この帯域伸長処理により、ディジタル送信信号の希望波スペクトルＤ及びサンプリングイメージＩはそれぞれ図２（ｂ）のＰ１，Ｐ２に示すようにレベルが持ち上げられる。そして、上記帯域通過フィルタ２４から出力されたディジタル送信信号は、電気／光変換器３０により電気信号から光信号に変換されたのち光ファイバ４０へ送信される。
【００２７】
一方、アンテナサイトにおいては、上記光ファイバ４０を介して伝送された光信号が光／電気変換器５０により電気信号に変換されたのち、第２の無線ユニット６０Ａに入力される。第２の無線ユニット６０Ａでは、先ず上記入力されたディジタル送信信号が帯域制限フィルタ６１に入力され、この帯域制限フィルタ６１により予め設定されている帯域制限特性（伝達関数Ｈ(ω)）に従い帯域制限処理が施される。この結果、上記光ファイバ４０による伝送中に、例えば図２（ｃ）に示すように伝送信号に発生したスプリアスは、図２（ｄ）に示すように除去される。
【００２８】
以上の動作を数式で表すと以下の通りになる。すなわち、送信信号をＳ(ω)、スプリアスをＮ(ω)とすると、周波数軸上においてフィルタ処理は乗算になるため、帯域通過フィルタ２４の出力は、  
Ｓ(ω)＊（１／Ｈ(ω)）  
となる。そして、光伝送区間においてスプリアスが発生すると、アンテナサイトの第２の無線ユニット６０Ａには、  
Ｓ(ω)＊（１／Ｈ(ω)）＋Ｎ(ω)  
なる信号が入力される。  
しかし、この信号は伝達関数Ｈ(ω)の帯域制限フィルタ６１に通されて帯域制限処理され、これにより  
Ｓ(ω)＋Ｎ(ω)＊Ｈ(ω)）＝Ｓ(ω)  
なる信号、つまりスプリアスＮ(ω)が抑圧された信号となって出力される。
【００２９】
以上のように帯域制限処理されたディジタル送信信号は、ディジタル／アナログ変換器６２でアナログ信号に変換されたのち、アップコンバータ６３により無線周波信号に周波数変換される。そして、この周波数変換された無線送信信号は、送信電力増幅器７０により所定の送信電力レベルに増幅されたのち、アンテナ８０から図示しないセルに存在する移動通信端末に向け放射される。
【００３０】
以上述べたように第１の実施形態では、基地局装置１０側の第１の無線ユニット２０Ａにおいて、無線送信信号のスペクトルレベルを帯域通過フィルタ２４の伸長処理により持ち上げたのち光ファイバ４０へ送信する。一方、アンテナサイトの第２の無線ユニット６０Ａにおいては、上記光ファイバ４０を介して伝送された無線送信信号を帯域制限フィルタ６１に通して帯域制限処理することによりスプリアスを抑圧し、このスプリアスが抑圧された無線送信信号をアップコンバートしたのち送信電力増幅器７０で電力増幅してアンテナ８０から放射するようにしている。
【００３１】
したがって、希望信号の特性劣化を抑制しつつ、光伝送路区間で発生するスプリアスを十分に抑圧することができる。また、あらゆる誤りを想定した複雑かつ高価な誤り訂正機能を設ける必要がなく、またスプリアス除去のための急峻な特性を有する高価なフィルタを設ける必要もないので、構成が簡単でかつ安価なシステムを提供することができる。
【００３２】
（第２の実施形態）  
この発明の第２の実施形態は、無線信号を複数のキャリアを使用して伝送するマルチキャリア無線伝送システムにあって、アンテナサイトに設けられた第２の無線ユニットに、予め設定された帯域制限特性を備える複数の帯域制限フィルタを各キャリアに対応して設け、光ファイバを介して伝送された多重化無線信号をキャリアごとに分離したのち上記各帯域制限フィルタにより個別に帯域制限する。一方、基地局装置側の第１の無線ユニットには、上記複数の帯域制限フィルタの帯域制限特性に対し逆特性となる帯域通過特性を備える複数の帯域通過フィルタを設ける。そして、変調された複数のキャリアの無線信号を上記複数の帯域通過フィルタにより個別に帯域伸長したのち、多重化して光ファイバへ送信するようにしたものである。
【００３３】
図３は、この発明に係わる無線伝送システムの第２の実施形態を示すブロック構成図である。なお、同図において前記図１と同一部分には同一符号を付して詳しい説明は省略する。
基地局装置１０側に設けられる第１の無線ユニット２０Ｂには、ダウンコンバータ（Ｄ−ＣＯＮＶ）２１と、アナログ／ディジタル変換器（Ａ／Ｄ）２２と、４系列のキャリアに対応して用意された４個の直交変調器２３１〜２３４、低域通過フィルタ（ＬＰＦ）２３１〜２３４及び帯域通過フィルタ（１／Ｈ(ω)）２４１〜２４４が設けられ、さらに多重回路２６が設けられている。
【００３４】
このうち直交変調器２３１〜２３４は、アナログ／ディジタル変換器２２から出力されたディジタル送信信号を４系列のキャリアに対応して直交変調するもので、変調された４系列のディジタル送信信号を上記低域通過フィルタ（ＬＰＦ）２３１〜２３４に入力する。上記低域通過フィルタ（ＬＰＦ）２３１〜２３４は、上記変調された４系列のディジタル送信信号に含まれる不要波成分を除去する。
【００３５】
帯域通過フィルタ２４１〜２４４はそれぞれ、後述する第２の無線ユニット６０Ｂに設けられる各帯域制限フィルタ６１１〜６１４の帯域制限特性（伝達関数Ｈ(ω)）に対し逆特性となる帯域通過特性（伝達関数１／Ｈ(ω)）を備える。そして、上記低域通過フィルタ２３１〜２３４を通過した４系列のディジタル送信信号の帯域をそれぞれ、上記伝達関数１／Ｈ(ω)に従い伸長する処理を行い、この帯域伸長された４系列のディジタル送信信号を多重回路２６に入力する。
【００３６】
多重回路２６は、上記入力された４系列のディジタル送信信号を１系列の信号に周波数多重し、この多重化された１系列のディジタル送信信号を電気／光変換器３０へ出力する。電気／光変換器３０は、上記多重回路２６から出力された多重化ディジタル送信信号を、電気信号から光信号に変換して光ファイバ４０へ送信する。
【００３７】
一方、アンテナサイトに設けられる第２の無線ユニット６０Ｂには、分離回路６４と、４系列のキャリアに対応して用意された４個の帯域制限フィルタ６１１〜６１４及び直交復調器６５１〜６５４とが設けられ、さらに合成器６６と、ディジタル／アナログ変換器（Ｄ／Ａ）６２と、アップコンバータ（Ｕ−ＣＯＮＶ）６３とが設けられている。
【００３８】
分離回路６４は、光／電気変換器５０により光信号から電気信号に変換された多重化ディジタル送信信号を、４系列のディジタル送信信号に分離する。帯域制限フィルタ６１１〜６１４はそれぞれ、上記光ファイバ４０による伝送過程で発生するスプリアスを抑圧するためにキャリアごとに予め設定された帯域制限特性（伝達関数Ｈ(ω)）を備える。そして、上記分離回路６４から出力された各ディジタル送信信号の帯域をそれぞれ、上記帯域通過特性（伝達関数Ｈ(ω)）に従い制限する処理を行う。
【００３９】
直交復調器６５１〜６５４はそれぞれ、上記各帯域制限フィルタ６１１〜６１４を通過した４系列のディジタル送信信号を直交復調し、復調されたディジタル送信信号を合成器６６に入力する。合成器６６は、上記入力された４系列のディジタル送信信号を合成して１系列のディジタル送信信号を生成し、生成されたディジタル送信信号をディジタル／アナログ変換器６２へ出力する。
【００４０】
次に、以上のように構成された無線伝送システムの動作を説明する。  
基地局装置１０から出力された無線送信信号は、第１の無線ユニット２０Ｂに入力され、ここでダウンコンバータ２１によりＡ／Ｄ変換に適したベースバンド又は中間周波数の信号に周波数変換されたのち、アナログ／ディジタル変換器２２によりディジタル信号に変換される。そして、このディジタル送信信号は、直交変調器２３１〜２３４において４系列のキャリアに対応して直交変調される。この変調された４系列のディジタル送信信号は、系列ごとに低域通過フィルタ（ＬＰＦ）２３１〜２３４により不要波成分が除去されたのち、帯域通過フィルタ２４１〜２４４に入力される。
【００４１】
帯域通過フィルタ２４１〜２４４は、先に述べたようにアンテナサイトの第２の無線ユニット６０Ｂに設けられている帯域制限フィルタ６１１〜６１４の帯域制限特性に対し逆特性となる帯域通過特性（伝達関数１／Ｈ(ω)）を備えており、上記入力された各系列のディジタル送信信号は上記伝達関数１／Ｈ(ω)に従い帯域を伸長する処理を受ける。この帯域伸長処理により、各系列のディジタル送信信号の希望波スペクトル及びサンプリングイメージはそれぞれ、前記図２に示したようにレベルが持ち上げられる。
【００４２】
そして、上記帯域通過フィルタ２４１〜２４４から出力された４系列のディジタル送信信号は、多重回路２６により１系列のディジタル送信信号に周波数多重され、この多重化されたディジタル送信信号は電気／光変換器３０により電気信号から光信号に変換されたのち光ファイバ４０へ送信される。
【００４３】
一方、アンテナサイトにおいては、上記光ファイバ４０を介して伝送された光信号が光／電気変換器５０により電気信号に変換されたのち、第２の無線ユニット６０Ｂに入力される。第２の無線ユニット６０Ｂでは、上記入力された多重化ディジタル送信信号が先ず分離回路６４により４系列のディジタル送信信号に分離されたのち、帯域制限フィルタ６１１〜６１４に入力される。帯域制限フィルタ６１１〜６１４はそれぞれ、キャリアごとにスプリアスを抑圧するための帯域制限特性（伝達関数Ｈ(ω)）を備えており、上記入力された４系列のディジタル送信信号はそれぞれ上記伝達関数Ｈ(ω)に従い帯域制限処理される。この結果、上記光ファイバ４０による伝送中に伝送信号に発生したスプリアスは、キャリアごとに抑圧される。
【００４４】
そして、以上のように系列ごとに帯域制限処理されたディジタル送信信号はそれぞれ、直交復調器６５１〜６５４により直交復調されたのち、合成器６６において合成されて１系列のディジタル送信信号となる。そして、この合成されたディジタル送信信号は、ディジタル／アナログ変換器６２でアナログ信号に変換されたのち、アップコンバータ６３により無線周波信号に周波数変換され、さらに送信電力増幅器７０により所定の送信電力レベルに増幅されたのち、アンテナ８０から図示しないセルに存在する移動通信端末に向け放射される。
【００４５】
以上述べたように第２の実施形態によれば、基地局装置１０側に設けられた第１の無線ユニット２０Ｂにおいて、キャリアごとに生成された４系列のディジタル送信信号が、当該キャリアごとに設定された逆特性（伝達関数１／Ｈ(ω)）を有する帯域通過フィルタ２４１〜２４４によりそれぞれ帯域伸長されたのち、多重化されて光ファイバ４０へ送信される。一方、アンテナサイトの第２の無線ユニット６０Ｂでは、上記光ファイバ４０を介して伝送された多重化ディジタル送信信号がキャリアごとに分離されたのち、当該キャリアごとに帯域制限特性（伝達関数Ｈ(ω)）が設定された帯域制限フィルタ６１１〜６１４によりそれぞれ帯域制限される。
【００４６】
したがって、個々のキャリアについては勿論のこと、キャリア間の谷間を含むすべての伝送帯域に対してスプリアスを減衰させることができる。したがって、個々のキャリアにおける無線信号の特性劣化を抑制しつつ、光伝送路区間で発生するスプリアスを確実に抑圧することが可能となる。
【００４７】
（第３の実施形態）  
この発明の第３の実施形態は、アンテナサイトの第２の無線ユニットに、全伝送帯域をカバーする帯域制限特性を有する１個の帯域制限フィルタを設け、光ファイバを介して伝送された多重化ディジタル送信信号を上記帯域制限フィルタに通すことにより全帯域に対し一括して帯域制限を行い、この帯域制限された多重化ディジタル送信信号をキャリアごとに分離したのち復調する。一方、基地局装置側の第１の無線ユニットには、上記アンテナサイトの帯域制限フィルタが備える帯域制限特性に対し逆特性となる帯域通過特性を備える１個の帯域通過フィルタを設ける。そして、変調された複数のキャリアのディジタル送信信号を多重化したのち、この多重化されたディジタル送信信号を上記帯域通過フィルタに通すことにより帯域伸長して光ファイバへ送信するようにしたものである。
【００４８】
図４は、この発明に係わる無線伝送システムの第３の実施形態を示すブロック構成図である。なお、同図において前記図２と同一部分には同一符号を付して詳しい説明は省略する。
基地局装置１０側に設けられる第１の無線ユニット２０Ｃでは、低域通過フィルタ（ＬＰＦ）２３１〜２３４の直後に多重回路２６が配置され、さらにこの多重回路２６と電気／光変換器３０との間に１個の帯域通過フィルタ（１／Ｈ′(ω)）２７が配置されている。多重回路２６は、上記低域通過フィルタ（ＬＰＦ）２３１〜２３４から出力された４系列のディジタル送信信号を１系列の信号に周波数多重し、この多重化された１系列のディジタル送信信号を帯域通過フィルタ２７に入力する。
【００４９】
帯域通過フィルタ２７は、後述する第２の無線ユニット６０Ｃに設けられる帯域制限フィルタ６７の帯域制限特性（伝達関数Ｈ′(ω)）に対し逆特性となる帯域通過特性（伝達関数１／Ｈ′(ω)）を備える。そして、上記多重回路２６から出力された１系列の多重化ディジタル送信信号の全帯域を上記伝達関数１／Ｈ′(ω)に従い一括して伸長する処理を行い、この帯域伸長された１系列のディジタル送信信号を電気／光変換器３０へ出力する。電気／光変換器３０は、上記多重回路２６から出力された多重化ディジタル送信信号を、電気信号から光信号に変換して光ファイバ４０へ送信する。
【００５０】
一方、アンテナサイトに設けられる第２の無線ユニット６０Ｃでは、光／電気変換器５０の直後の位置に帯域制限フィルタ（Ｈ′(ω)）６７が配置され、さらにこの帯域制限フィルタ（Ｈ′(ω)）６７と直交復調器６５１〜６５４との間に分離回路６４が配置されている。
【００５１】
帯域制限フィルタ６７は、上記光ファイバ４０による伝送過程で発生するスプリアスを抑圧するために全キャリアを含む伝送帯域に対し一括して設定された帯域制限特性（伝達関数Ｈ′(ω)）を備える。そして、上記光／電気変換器５０により変換された多重化ディジタル送信信号の帯域を、上記帯域通過特性（伝達関数Ｈ′(ω)）に従い一括して制限する処理を行う。
【００５２】
分離回路６４は、上記帯域制限フィルタ６７により帯域制限された多重化ディジタル送信信号を、４系列のディジタル送信信号に分離する。直交復調器６５１〜６５４はそれぞれ、上記分離回路６４により分離された４系列のディジタル送信信号を直交復調し、復調されたディジタル送信信号を合成器６６に入力する。合成器６６は、上記入力された４系列のディジタル送信信号を合成して１系列のディジタル送信信号を生成し、生成されたディジタル送信信号をディジタル／アナログ変換器６２へ出力する。
【００５３】
このような構成であるから、基地局装置１０から出力された無線送信信号は、第１の無線ユニット２０Ｃに入力され、ここでダウンコンバータ２１によりＡ／Ｄ変換に適したベースバンド又は中間周波数の信号に周波数変換されたのち、アナログ／ディジタル変換器２２によりディジタル信号に変換される。そして、このディジタル送信信号は、直交変調器２３１〜２３４において４系列のキャリアに対応して直交変調される。この変調された４系列のディジタル送信信号は、系列ごとに低域通過フィルタ（ＬＰＦ）２３１〜２３４により不要波成分が除去されたのち、多重回路２６により周波数多重されて１系列の多重化ディジタル送信信号となり、帯域通過フィルタ２７に入力される。
【００５４】
帯域通過フィルタ２７は、先に述べたようにアンテナサイトの第２の無線ユニット６０Ｃに設けられている帯域制限フィルタ６７の帯域制限特性（伝達関数Ｈ′(ω)）に対し逆特性となる帯域通過特性（伝達関数１／Ｈ′(ω)）を備えており、上記入力された多重化ディジタル送信信号は上記伝達関数１／Ｈ′(ω)に従い帯域を伸長する処理を受ける。この帯域伸長処理により、多重化ディジタル送信信号の希望波スペクトル及びサンプリングイメージは一括してレベルが持ち上げられる。  
そして、上記帯域通過フィルタ２７から出力された多重化ディジタル送信信号は、電気／光変換器３０により電気信号から光信号に変換されたのち光ファイバ４０へ送信される。
【００５５】
一方、アンテナサイトに設けられた第２の無線ユニット６０Ｃでは、光／電気変換器５０から出力された多重化ディジタル送信信号が先ず帯域制限フィルタ６７に入力される。帯域制限フィルタ６７はそれぞれ、先に述べたように全キャリアを含む伝送帯域に対し一括してスプリアスを抑圧するための帯域制限特性（伝達関数Ｈ′(ω)）を備えており、上記入力された多重化ディジタル送信信号は上記伝達関数Ｈ′(ω)に従い帯域制限処理される。この結果、上記光ファイバ４０による伝送中に伝送信号に発生したスプリアスは、全伝送帯域について一括して抑圧される。
【００５６】
そして、上記帯域制限フィルタ６７により帯域制限された多重化ディジタル送信信号は、分離回路６４により４系列のディジタル送信信号に分離されたのち、直交復調器６５１〜６５４により直交復調される。そして、合成器６６において合成されて１系列のディジタル送信信号となり、ディジタル／アナログ変換器６２でアナログ信号に変換されたのちアップコンバータ６３により無線周波信号に周波数変換される。さらに、送信電力増幅器７０により所定の送信電力レベルに増幅されたのち、アンテナ８０から図示しないセルに存在する移動通信端末に向け放射される。
【００５７】
以上述べたように第３の実施形態によれば、基地局装置１０側に設けられた第１の無線ユニット２０Ｃにおいて、キャリアごとに生成された４系列のディジタル送信信号が１系列に多重化されたのち、逆特性（伝達関数１／Ｈ′(ω)）の帯域通過フィルタ２６により一括して帯域伸長されたのち、光ファイバ４０へ送信される。一方、アンテナサイトの第２の無線ユニット６０Ｃでは、上記光ファイバ４０を介して伝送された多重化ディジタル送信信号が、全キャリアを含む伝送帯域に対し設定された帯域制限特性（伝達関数Ｈ′(ω)）を有する帯域制限フィルタ６７により一括して帯域制限され、しかるのちキャリアごとに分離されて復調される。
【００５８】
したがって、第１及び第２の無線ユニット２０Ｃ，６０Ｃにおける帯域伸長処理及び帯域制限処理がそれぞれ１個の帯域通過フィルタ２６及び帯域制限フィルタ６７により行われる。このため、最小数の帯域フィルタを使用するだけでスプリアスを抑圧することが可能となり、これにより回路規模を削減しつつ、希望信号の品質劣化を許容範囲に抑えながら無線信号の放射特性を改善することができる。これは、特にＣＤＭＡ（Code Division Multiple Access）２０００方式のように１５キャリアを伝送する移動通信システムに適用した場合に、無線ユニットの回路規模を前記第２の実施形態に比べて１／１５にすることができるため、きわめて有効である。
【００５９】
（その他の実施形態）  
前記各実施形態では、第１の無線ユニットと第２の無線ユニットとの間で無線信号をディジタル化して光伝送する場合を例にとって説明したが、無線信号をアナログ信号のまま光伝送するようにしてもよい。この場合、帯域通過フィルタ及び帯域制限フィルタにはアナログフィルタを使用すればよい。
【００６０】
また前記各実施形態では、基地局装置とアンテナサイトとの間で光ファイバを介して無線信号を伝送するＲＯＦシステムを例にとって説明したが、それに限らず制御局と基地局装置との間で光ファイバを介して無線信号を伝送するＲＯＦシステム等にも適用可能である。すなわち、送信側及び受信側の装置は無線信号を送受信する装置であれば如何なるものでもよい。
【００６１】
さらに前記各実施形態では、アンテナサイトの無線ユニットとアンテナとの間に送信電力増幅器を設けたが、送信電力レベルが小さいシステムでは送信電力増幅器を省略してもよい。その他、第１及び第２の無線ユニットの構成や、帯域制限フィルタの伝達関数及びその逆特性フィルタである帯域通過フィルタの伝達関数については、この発明の要旨を逸脱しない範囲で種々変形して実施できる。
【００６２】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００６３】
【図１】この発明に係わる無線伝送システムの第１の実施形態を示すブロック図。
【図２】図１に示したシステムの動作説明に使用する伝送特性図。
【図３】この発明に係わる無線伝送システムの第２の実施形態を示すブロック図。
【図４】この発明に係わる無線伝送システムの第３の実施形態を示すブロック図。
【図５】従来のＲＯＦシステムの構成を示す図。
【符号の説明】
【００６４】
１０…基地局装置（ＢＴＳ）、２０Ａ，２０Ｂ，２０Ｃ…基地局装置側の無線ユニット、２１…ダウンコンバータ（Ｄ−ＣＯＮＶ）、２２…アナログ／ディジタル変換器（Ａ／Ｄ）、２３，２３１〜２３４…低域通過フィルタ（ＬＰＦ）、２４，２４１〜２４４，２７…帯域通過フィルタ、２５１〜２５４…直交変調器、２６…多重回路、３０…電気／光変換器（Ｅ／Ｏ）、４０…光ファイバ、５０…光／電気変換器（Ｏ／Ｅ）、６０Ａ，６０Ｂ，６０Ｃ…アンテナサイトの無線ユニット、６１，６１１〜６１４，６７…帯域制限フィルタ、６２…ディジタル／アナログ変換器（Ｄ／Ａ）、６３…アップコンバータ（Ｕ−ＣＯＮＶ）、６４…分離回路、６５１〜６５４…直交復調器、６６…合成器、７０…送信電力増幅器、８０…アンテナ。
【図１】
2005175675.tif 000003
【図２】
2005175675.tif 000004
【図３】
2005175675.tif 000005
【図４】
2005175675.tif 000006
【図５】
2005175675.tif 000007